(57)【要約】【課題】モザイク状にガラスを好みの色で演出することができる照明装置を提供する。【解決手段】無機又は有機材料からなる蛍光体材料を含んだ板状部が、透明なシリコーン樹脂からなる連結部で連結され一枚の板部材を形成し、紫外光を板部材内へ導入するように配置された紫外線ＬＥＤを有する紫外線光源とからなり、前記紫外線光源からの光りにより前記板状部の前記蛍光体を励起させ発光させたことを特徴とする照明装置。様々な形状の板状材を連結材でつないで形成することにより、所望のデザインの照明装置を提供することができる。【選択図】        図１
2004207128.tif 000002
【特許請求の範囲】
【請求項１】
無機又は有機材料からなる蛍光体材料を含んだ板状部が、透明なシリコーン樹脂からなる連結部で連結され一枚の板部材を形成し、
紫外光を板部材内へ導入するように配置された紫外線ＬＥＤを有する紫外線光源とからなり、
前記紫外線光源からの光りにより前記板状部の前記蛍光体を励起させ発光させたことを特徴とする照明装置。
【請求項２】
前記板部材の周囲の少なくとも一部に反射面を形成したことを特徴とする請求項１記載の照明装置。
【請求項３】
前記連結部の表面に反射層と被覆層を形成したことを特徴とする請求項１又は２記載の照明装置。
【発明の詳細な説明】
【０００１】
【発明の属する技術分野】
本発明は、紫外線の照射によって発光する蛍光体を配置したガラスに、紫外線発光ダイオード（以下、「紫外線ＬＥＤ」とも略する。）の紫外線を照射することによって、種々の蛍光色でガラスを演出することができる照明装置に関するものである。
【０００２】
【従来の技術】
ガラス表面に蛍光体を有したシート配置し、そのシートを紫外線ＬＥＤからの紫外光を照射して種々の蛍光色を励起させている照明装置が知られている。（例えば、特許文献１参照）
【０００３】
【特許文献１】
特開２００２−９１３５３号公報
【０００４】
【発明が解決しようとする課題】
しかし、従来の照明装置においては、紫外線を空気中又は樹脂などからなる導光部を通過させるため、十分に紫外線ＬＥＤから放出される紫外線を活用できていなかった。
つまり、空気中に光を伝播させると、紫外線ＬＥＤから放出される光は、屈折率の差の関係で十分に取出すことができず、また、十分な光の方向制御ができなかった。
一方、アクリル樹脂などからなる透明樹脂を用いた導光部を用いると、紫外線ＬＥＤから放出される紫外線は、アクリル樹脂自身に吸収され易く、また、アクリル樹脂自身を劣化させるなどの不具合が有った。
【０００５】
そこで、本発明は、紫外線ＬＥＤの周囲を紫外線に対して透明なシリコーン樹脂又はゴムを配置して、樹脂の劣化を防止するとともに、好みの色でガラスを演出することができる照明装置を提供することを課題とするものである。
【０００６】
【課題を解決するための手段】
請求項１の発明にかかる照明装置は、 無機又は有機材料からなる蛍光体材料を含んだ板状部が、透明なシリコーン樹脂からなる連結部で連結され一枚の板部材を形成し、紫外光を板部材内へ導入するように配置された紫外線ＬＥＤを有する紫外線光源とからなり、前記紫外線光源からの光りにより前記板状部の前記蛍光体を励起させ発光させたことを特徴とする。
【０００７】
さらに、前記板部材の周縁の少なくとも一部に反射面を形成したことを特徴とする。
【０００８】
さらに、前記連結部の表面に反射層と被覆層を形成したことを特徴とする。
【０００９】
【発明の実施の形態】
以下、本発明の実施の形態について説明する。
【００１０】
図１は本発明の実施の形態にかかる第１の実施の形態に関わる照明装置を用いた装飾ガラス１１を示す正面図である。図２は第１の実施の形態にかかる照明装置を用いた装飾ガラス１１の断面図である。
【００１１】
図１に示される第１の実施の形態は、板状の装飾ガラス部１１と装飾ガラス部１１の縁に接するように配置されている複数の紫外線ＬＥＤ２２を有した紫外線光源２１から構成されている。
【００１２】
板状の装飾ガラス部１１は、蛍光体を含んだ樹脂やガラス又は蛍光ガラスなどからなる赤色蛍光部１２、青色蛍光部１３、緑色蛍光部１４、各色蛍光部を連結している紫外線に対して透明なシリコーン樹脂からなる連結部１５からなる。加えて、装飾ガラス部１１の紫外線光源２１を配置していない残りの３方の縁部には、紫外線を可視光を反射するアルミ薄膜からなる反射面１６を形成している。
【００１３】
紫外線光源２１は、複数の紫外線ＬＥＤ２２が図示しないパターン配線された基板２３上に配置され、電源線２５によって基板２３の配線を介して複数の紫外線ＬＥＤ２２へ電気が供給されている。複数の紫外線ＬＥＤ２２及び基板２３はそれらの周囲又は一部を透明な弾力性の有するシリコーン樹脂によって封止された封止部２４を有している。
【００１４】
紫外線ＬＥＤ２２は、サファイア基板上に形成された窒化ガリウム系化合物半導体から成り、３８０ｎｍのピーク波長を有した光を発光している。
【００１５】
透明なシリコーン樹脂は、３８０ｎｍ程度の光りに対しては、透明であり、かつ、その光に対して通常のエポキシ樹脂などより安定であるため、連結部１５や封止部２４は変色しづらく、長期間、装飾ガラス部１１の赤色蛍光部１２、青色蛍光部１３、緑色蛍光部１４へ効率よく光を導くことができる。
【００１６】
また、装飾ガラス１１の周囲に反射面１６をアルミ薄膜で形成している。アルミは、３８０ｎｍ程度の光の吸収が少なく、効率よく光を反射することができるので、光を効率よく蛍光体に吸収させることができるので、紫外光を蛍光体で効率よく変換できる。
【００１７】
また、連結部１５の外表面部に反射部１７及びその反射部表面に黒色などからなる被覆部１８を設けることにより見栄えを向上させることができる。
【００１８】
次に、第２実施の形態を説明する。図３は本発明の実施の形態にかかる第２の実施の形態に関わる照明装置を用いた装飾ガラス１１を示す正面図である。図４は第２の実施の形態にかかる照明装置を用いた装飾ガラス１１の断面図である。図５は、紫外線光源３１の詳細図である。なお、第１の実施の形態と第２の実施の形態において同一部材に関しては、同一符号を付している。
【００１９】
第１の実施の形態と異なる点を中心に説明する。第１の実施の形態は、装飾ガラス１１の一側面に光源を配置しているが、第２の実施の形態は、シリコーン樹脂からなる連結部１５内に紫外線ＬＥＤ２２を配置した紫外線光源３１を有する構造となっている。
【００２０】
紫外線光源３１は、配線を配した基板３２上に紫外線ＬＥＤ２２を配置し、基板３２同士を柔軟性が有り、ＬＥＤ２２への電源供給を兼ねる屈曲部３３とからなる。
【００２１】
光源部を蛍光体配置部１２，１３，１４間に配置しているため、各蛍光体配置部１２，１３，１４へ均一な光を供給することが可能となる。
【００２２】
また、第１の実施の形態と同様に、装飾ガラス１１の周囲に反射面１６をアルミ薄膜で形成している。アルミは、３８０ｎｍ程度の光の吸収が少なく、効率よく光を反射することができるので、光を効率よく蛍光体に吸収させることができるので、紫外光を蛍光体で効率よく変換できる。
【００２３】
加えて、第１の実施の形態と同様に、連結部１５の外表面部に反射部１７及びその反射部表面に黒色などからなる被覆部１８を設けることにより内部の光源を隠し見栄えを向上させる、且つ光を有効に蛍光体に導くことができる。
【００２４】
【発明の効果】
以上説明したように、請求項１にかかる照明装置は、シリコーン樹脂を紫外線光源周囲及び連結部に用いているため、紫外光を効率よく、各蛍光体配置部へ導くことができる。
【００２５】
さらに、請求項２にかかる照明装置は、周囲まで紫外光が変換されず到達した時、再度、蛍光体の存在する部位へ反射させることにより、更なる紫外から可視への変換効率を向上させることができる。
【００２６】
さらに、請求項３に関わる照明装置は、連結部から紫外光の漏れるを防止し、且つ紫外光を内部に戻すことにより更なる蛍光体による紫外から可視への変換を効率よくおこなうことができる。
【図面の簡単な説明】
【図１】本発明の第１の実施の形態にかかる照明装置の全体構成を示す正面図、
【図２】本発明第１の実施の形態にかかる照明装置の全体構成を示すＡ−Ａ断面図、
【図３】本発明の第２の実施の形態にかかる照明装置の全体構成を示す正面図、
【図４】本発明第２の実施の形態にかかる照明装置の全体構成を示すＢ−Ｂ断面図、
【図５】本発明第２の実施の形態にかかる照明装置の紫外線光源の詳細図である。
【符号の説明】
１１  装飾ガラス
１５  連結部
１６  反射面１６
２２  紫外線ＬＥＤ
２４  封止部
【図１】
2004207128.tif 000003
【図２】
2004207128.tif 000004
【図３】
2004207128.tif 000005
【図４】
2004207128.tif 000006
【図５】
2004207128.tif 000007